(57)【要約】【課題】２枚の透明板を所定間隔にて積層した透明板ユニットの支持枠部材に対するガタツキの防止を図ったパチンコ機における透明板ユニットの固定構造を提供すること。【解決手段】前面装飾枠の裏面に設けた支持枠部材２に、２枚の透明板（ガラス板）が保持枠に所定間隔にて積層された透明板ユニットを装着するように構成したパチンコ機における透明板ユニットの固定構造において、支持枠部材２には、中央の突条部３を挟むようにその前後に係合溝４を夫々設け、透明板ユニット１０の保持枠には、それらの係合溝４に挿入可能な２つの平行な突条１４を外周面の一部若しくは全部に形成すると共に当該突条１４の内側の所定箇所に、支持枠部材の突条部３の側面に緊密に接触させる複数の挟持部１６を一体に形成し、支持枠部材２に透明板ユニット１０を固定する。【選択図】  図７
2004248882.tif 000002
【特許請求の範囲】
【請求項１】
遊技盤が取り付けられる取付枠の前面に前面装飾枠を開閉自由とし、その前面装飾枠の裏面に設けられた支持枠部材に、２枚の透明板が額縁状の合成樹脂製保持枠に所定間隔にて積層された透明板ユニットを装着するように構成したパチンコ機における透明板ユニットの固定構造において、
前記支持枠部材には、中央の突条部を挟むようにその前後に係合溝を夫々設け、前記透明板ユニットの保持枠には、それらの係合溝に挿入可能な２つの平行な突条を外周面の一部若しくは全部に形成すると共に当該突条の内側の所定箇所に、前記支持枠部材の突条部の側面に緊密に接触させる複数の挟持部を一体に形成し、前記支持枠部材に透明板ユニットを固定するように設けたことを特徴とするパチンコ機における透明板ユニットの固定構造。
【請求項２】
前記挟持部が、前記突条の内側に一体に形成される厚肉部若しくは突起部又は弾性変形可能な押圧片であることを特徴とする請求項１に記載のパチンコ機における透明板ユニットの固定構造。
【請求項３】
前記挟持部が、前記突条の内側に対向するように一体に形成されていることを特徴とする請求項１又は２に記載のパチンコ機における透明板ユニットの固定構造。
【請求項４】
前記挟持部が、前記透明板ユニットを支持枠部材に挿入する際に、その挿入動作の妨げにならない形態に設けられていることを特徴とする請求項１〜３の何れかに記載のパチンコ機における透明板ユニットの固定構造。
【発明の詳細な説明】
【０００１】
【発明の属する技術分野】
本発明は、パチンコ機における透明板ユニットの固定構造に関する。
【０００２】
【従来の技術】
従来のパチンコ機におけるガラス板の固定構造は、遊技盤を取り付ける取付枠の前面に開閉自由に設けられた前面装飾枠の裏面に、所定間隔で前後に設けられた係合溝が形成された額縁状のガラス枠部材を設け、２枚の透明なガラス板をそれらの係合溝に装着するようにされている。しかし、ガラス板を単にガラス枠部材に挿入しただけであると、ガラス枠部材とガラス板との間にガタツキを生ずる。そのガタツキにより、遊技盤とガラス板との間の距離が不安定になってしまって遊技盤上の玉詰まりを引き起こす可能性があるばかりか、不心得な遊技者によりガタツキにより生じた隙間から異物が挿入されて不正行為が行なわれるという危惧もある。
【０００３】
そこで、ガラス枠部材に装着されるガラス板のガタツキを無くすために、特開平７−１１６３２３号、特開平８−３２３０１１号公報等にて提案がなされている。
【０００４】
【発明が解決しようとする課題】
ガラス板をそのままガラス枠部材に挿入する従来の構造については、ガタツキの防止対策が提案されている。ところが、２枚の透明板が合成樹脂製保持枠に所定間隔にて積層された透明板ユニットを設け、このユニットを前面装飾枠の裏面に設けられた支持枠部材に挿入して固定するようにした形態の構造においても、支持枠部材に対して透明板ユニットのガタツキを生ずるところ、これを解消する対策は採られていない。
【０００５】
この発明の目的は、２枚の透明板を所定間隔にて積層した透明板ユニットの支持枠部材に対するガタツキの防止を図ったパチンコ機における透明板ユニットの固定構造を提供することにある。
【０００６】
【課題を解決するための手段】
前記目的を達成するために請求項１に記載した発明は、遊技盤が取り付けられる取付枠の前面に前面装飾枠を開閉自由とし、その前面装飾枠の裏面に設けられた支持枠部材に、２枚の透明板が額縁状の合成樹脂製保持枠に所定間隔にて積層された透明板ユニットを装着するように構成したパチンコ機における透明板ユニットの固定構造において、前記支持枠部材には、中央の突条部を挟むようにその前後に係合溝を夫々設け、前記透明板ユニットの保持枠には、それらの係合溝に挿入可能な２つの平行な突条を外周面の一部若しくは全部に形成すると共に当該突条の内側の所定箇所に、前記支持枠部材の突条部の側面に緊密に接触させる複数の挟持部を一体に形成し、前記支持枠部材に透明板ユニットを固定するように設けたことを特徴とする。
【０００７】
同様の目的を達成するために請求項２に記載した発明は、請求項１に記載のパチンコ機における透明板ユニットの固定構造において、前記挟持部が、前記突条の内側に一体に形成される厚肉部若しくは突起部又は弾性変形可能な押圧片であることを特徴とするものである。
【０００８】
同様の目的を達成するために請求項３に記載した発明は、請求項１又は２に記載のパチンコ機における透明板ユニットの固定構造において、前記挟持部が、前記突条の内側に対向するように一体に形成されていることを特徴とするものである。
【０００９】
同様の目的を達成するために請求項４に記載した発明は、請求項１〜３の何れかに記載のパチンコ機における透明板ユニットの固定構造において、前記挟持部が、前記透明板ユニットを支持枠部材に挿入する際に、その挿入動作の妨げにならない形態に設けられていることを特徴とするものである。
【００１０】
【発明の効果】
このパチンコ機における透明板ユニットの固定構造は、透明板ユニットの挟持部を支持枠部材の突条部に緊密に接触させるように設けることにより、透明板ユニットを支持枠部材にガタツキのないように安定して固定することができる。加えて、その挟持部は透明板ユニットに一体形成されているので、別部品のガタ止め部材を設ける必要がなく、当該固定構造を低コストにて実施することができる。
【００１１】
【発明の実施の形態】
以下に、本発明の実施の形態例を図面に基づいて説明する。図１は透明板ユニットの斜視図、図２は透明板ユニットの分解斜視図、図３は上枠片の側面図、図４は下枠片の側面図、図５は前面装飾枠の枠本体を背面から見た斜視図、図６は透明板ユニットを支持枠部材に装着する前の状態を示す説明図、図７は透明板ユニットを支持枠部材に装着した状態を示す説明図である。
【００１２】
通常のパチンコ機においては、各種の役物を備えた遊技盤が取り付けられる取付枠（図示せず）の前面に、前面装飾枠（図示せず）が開閉自由に設けられている。図５に示すように、その前面装飾枠の金属製枠本体１は、遊技盤（図示せず）を臨むように中央部を開放して額縁状に形成され、その裏面１ａに支持枠部材２を一体状に設けている。その支持枠部材２は、上方を開放して他の三方を囲むように形成されており、その内方中央の突条部３を挟むようにその前後に係合溝４，４を夫々設けている。
【００１３】
図１及び図２において、１０は本発明の「パチンコ機における透明板ユニットの固定構造」にかかる透明板ユニットである。この透明板ユニット１０の額縁状の合成樹脂製保持枠１１は、上枠片１２、下枠片１８及び左右の側枠片２３，２３とにより構成されている。３０，３０は透明板としてのガラス板、３５は合成樹脂製中間枠部材である。
【００１４】
図２に示すように、上枠片１２は伏せコ字形に形成されており、その内周面には、前後に配置される２枚のガラス板３０，３０の上部を嵌めるための溝１３，１３が所定間隔をおいて形成されている。また、上枠片１２の外周面には、２つの平行な突条１４，１４を縦方向に夫々形成し、前記支持枠部材２の係合溝４，４に対応して挿入可能に設けられている。
【００１５】
図３に示すように、それらの突条１４，１４の内側１４ａ，１４ａには、上方を高くし下方に向かって徐々に低くなるようにした厚肉部１６，１６を対向させて一体に形成している。それらの厚肉部１６，１６は、その対応間隔ｗを前記支持枠部材２の突条部３の幅寸法と同一寸法に設けると共に、当該支持枠部材２に挿入する際に挿入動作の妨げにならない形態に設けるものとする。
【００１６】
上記厚肉部１６，１６については、本発明の構成要件の一部である挟持部の一例であるところ、これを突条１４，１４の内側に一体に形成される突起部（図示せず）又は当該突条１４，１４の厚さ方向に弾性変形可能な押圧片（図示せず）とすることも可能である。
【００１７】
下枠片１８についても、前記上枠片１２と同様に、コ字形に形成されており、その内周面には、前記ガラス板３０，３０の下部を嵌める溝１９，１９が所定間隔をおいて形成されている。この下枠片１８の外周面には、２つの平行な突条２０，２０を周方向に夫々形成し、前記支持枠部材２の係合溝４，４に対応するように設けられている。
【００１８】
図４に示すように、突条２０，２０の縦向き箇所の内側２０ａ，２０ａには、前記上枠片１２と同様に、上方を高くし下方に向かって徐々に低くなるようにした厚肉部２１，２１が対向状に一体に形成されている。それらの厚肉部２１，２１は、その対応間隔ｗを前記支持枠部材２の突条部３の幅寸法と同一寸法に設けると共に、当該支持枠部材２に挿入する際に挿入動作の妨げにならない形態に設けられている。
【００１９】
左右の側枠片２３，２３の内周面には、前記ガラス板３０，３０の側部を嵌めるための溝２４，２４が所定間隔をおいて形成され、その外周面に２つの平行な突条２５，２５が縦方向に夫々形成されている。また、それらの側枠片２３の両端部には、先端を内方に向けた係止ピン２６，２６が一体に形成されている。
【００２０】
しかして、上枠片１２と下枠片１８に設けられる図示しない係止孔に、各側枠片２３，２３の係止ピン２６，２６を嵌めて合着することにより一体化された保持枠１１が設けられる。
【００２１】
中間枠部材３５については、所望のデザインにて適宜分割して形成されるところ、その厚さ寸法については上記保持枠１１に装着される２枚のガラス板３０，３０により形成される内空間部に挿入可能に設ける。
【００２２】
しかして、透明板ユニット１０は、上記保持枠１１の下枠片１８と側枠片２３，２３とを組み付けた状態にてガラス板３０，３０と中間枠部材３５を取り付けてから、上枠片１２を側枠片２３，２３に組み付けることにより一体状に設けられている。なお、保持枠１１の各接合部分には、接着剤を適宜塗布して強固に固定を施すようにする。
【００２３】
図６、図７に示すように、上記透明板ユニット１０を前面装飾枠の支持枠部材２の係合溝４，４に対して挿入すれば、当該透明板ユニット１０の厚肉部１６及び２１が支持枠部材２の突条部３の側面３ａに緊密に接触するため、透明板ユニット１０は支持枠部材２に対してガタツキのないように確実に固定される。
【００２４】
以上に述べたとおり、このパチンコ機における透明板ユニットの固定構造は、透明板ユニットの挟持部を支持枠部材の突条部に緊密に接触させるように設けているので、透明板ユニットを支持枠部材にガタツキのないように安定して固定することができるという利点を有する。
【図面の簡単な説明】
【図１】透明板ユニットの斜視図
【図２】透明板ユニットの分解斜視図
【図３】上枠片の側面図
【図４】下枠片の側面図
【図５】前面装飾枠の枠本体を背面から見た斜視図
【図６】透明板ユニットを支持枠部材に装着する前の状態を示す説明図
【図７】透明板ユニットを支持枠部材に装着した状態を示す説明図
【符号の説明】
１・・・前面装飾枠の枠本体
２・・・支持枠部材
３・・・突条部
３ａ・・・突条部の側面
４，４・・・係合溝
１０・・・透明板ユニット
１１・・・保持枠
１２・・・上枠片
１３，１３・・・溝  １４，１４・・・突条
１６・・・厚肉部（挟持部）
１８・・・下枠片
１９，１９・・・溝  ２０，２０・・・突条
２１・・・厚肉部（挟持部）
２３，２３・・・側枠片
２４，２４・・・溝  ２５，２５・・・突条
３０・・・ガラス板（透明板）
【図１】
2004248882.tif 000003
【図２】
2004248882.tif 000004
【図３】
2004248882.tif 000005
【図４】
2004248882.tif 000006
【図５】
2004248882.tif 000007
【図６】
2004248882.tif 000008
【図７】
2004248882.tif 000009